(57)【要約】【課題】折れたミシン針の飛散を確実に防止できる折れ針飛散防止具を提供する。【解決手段】ミシンの押さえ棒１の後方に立てられる後面カバー１０と、押さえ棒１の左右側方に立てられる透明の側面カバー１１とを有する。押さえ棒１の横側面に、生地押さえ２を取り付ける押さえ締めねじ４が位置する。後面カバー１０の前面に支持部材１２をねじ止めする。後面カバー１０は支持部材１２を介して押さえ棒１に押さえ締めねじ４で支持する。後面カバー１０にスライド部材１３を左右横方向へ移動調節可能に取り付ける。スライド部材１３に左右の各側面カバー１１を着脱自在に取り付ける。【選択図】　　　　図１
2004000361.tif 000002
【特許請求の範囲】
【請求項１】
ミシンの押さえ棒１の後方に立てられる後面カバー１０と、押さえ棒１の左右側方に立てられる透明の側面カバー１１と、押さえ棒１にこれの押さえ締めねじ４を利用して後面カバー１０を位置決め支持する支持手段と、後面カバー１０に対して左右の各側面カバー１１を左右横方向へ移動調節可能に、かつ着脱自在に取り付けるための取付手段とを備えている折れ針飛散防止具。
【請求項２】
後面カバー１０の支持手段が、後面カバー１０の前面側に備えた支持部材１２を含み、
支持部材１２の前端側に、押さえ棒１の横側面に位置する押さえ締めねじ４の挿通を許す挿通孔１９が設けられている請求項１記載の折れ針飛散防止具。
【請求項３】
後面カバー１０の左右方向中央部位には、押さえ棒１の外周面に添う凹曲状の受け面１５が縦方向に形成されており、
前記受け面１５に、押さえ棒１の後側面に位置する押さえ締めねじ４の挿通を許す挿通孔１６が設けられている請求項２記載の折れ針飛散防止具。
【請求項４】
取付手段が、後面カバー１０の左右端部位に左右横方向へ移動可能に取り付けられたスライド部材１３を含み、
スライド部材１３に左右の各側面カバー１１が着脱自在である請求項１記載の折り針飛散防止具。
【請求項５】
磁性金属板からなる後面カバー１０に、永久磁石２５が付設されている請求項１記載の折れ針飛散防止具。
【発明の詳細な説明】
【０００１】
【発明の属する技術分野】
本発明は、縫製工場などにおいて縫製作業中に折れたミシン針の破片が飛散するのを防止する折れ針飛散防止具に関する。
【０００２】
【従来の技術】
縫製作業中にミシン針が折れたとき、その破片が縫製品に紛れ込んだまま出荷されることを防止しなければならない。しかし、ミシン針はもともと細く、遠くまで飛散した折れ針を探し出すのは容易なことではない。
【０００３】
この対策として、折れ針が飛散しないように捕捉して、折れ針を容易に探し出せるようにすることは、例えば特開平９−１４９９９１号公報に公知である。そこでは、上下動するミシン針の外周囲を円筒状の針被覆体で覆っており、その針被覆体はミシン側の押さえ棒にねじ止めされていた。
【０００４】
【発明が解決しようとする課題】
しかし従来例の針被覆体は、ミシン針の外周を覆っているため、ミシン針の交換やミシン針に糸を通す際などに針被覆体が邪魔になる。この場合、針被覆体は押さえ棒から外して前記作業を行えばよいが、実際のところ針被覆体これ自体の着脱作業が煩わしいところに問題があった。更に針被覆体は、下窄まり状になっていてごみが詰まりやすいことになる。
【０００５】
また、従来の針被覆体は、一本針本縫い用のミシンには装着できるが、ミシン針が左右に動いて千鳥縫いを行うミシンや、ミシン針を左右方向に複数本並べたミシンなどには装着できない。
【０００６】
かと言って、ミシンの形態に合わせて複数種類の針被覆体を用意しておくことは、針被覆体の種類が多くなって管理などが煩わしい。ミシンの種類によっては、押さえ締めねじが押さえ棒の後面側に配置される形式や押さえ棒の横側面に配置される形式があるため、これらのミシンに対応できるようにする必要がある。更には押さえ棒への装着の手間が軽減できるようにする必要があるところ、これらの要望に応え切れていないのが現状である。
【０００７】
本発明の目的は、折れたミシン針を飛散しないよう容易に探し出すことができる折れ針飛散防止具を提供することにある。本発明の目的は、ミシン針の交換作業が容易に行える折れ針飛散防止具を得ることにある。本発明の目的は、押さえ締めねじが押さえ棒の横側面に位置するミシンであっても、押さえ棒の後面側に位置するミシンであっても、それぞれに対応できる折れ針飛散防止具を提供することにある。本発明の目的は、押さえ棒への装着が手軽に行える折れ針飛散防止具を提供することにある。
【０００８】
【課題を解決するための手段】
対象のミシンは、図２に示すごとく押さえ棒１の下端に、布地Ｗの押さえ２がロッド３を介して押さえ締めねじ４で取り付けられている。そのうえで、本発明に係る折れ針飛散防止具は、図１ないし図３に示すごとく押さえ棒１の後方に立てられる後面カバー１０と、押さえ棒１の左右側方に立てられる透明の側面カバー１１と、押さえ棒１にこれの押さえ締めねじ４を利用して後面カバー１０を位置決め支持する支持手段と、後面カバー１０に対して左右の各側面カバー１１を左右横方向へ移動調節可能に、かつ着脱自在に取り付けるための取付手段とを備えている。
【０００９】
押さえ棒１に対する後面カバー１０の支持手段は、図１ないし図３に示すごとく、後面カバー１０の前面側に備えた支持部材１２を含み、支持部材１２の前端側に、押さえ棒１の横側面に位置する押さえ締めねじ４の挿通を許す挿通孔１９が設けられている。後面カバー１０に対して支持部材１２は、例えばねじ１７で着脱自在に取り付けることができる。
【００１０】
ここでの支持部材１２は、押さえ棒１の横側面に押さえ締めねじ４が位置するミシン、例えば一本針本縫い用に適応させるためである。
【００１１】
後面カバー１０の左右方向中央部位には、図１に示すごとく押さえ棒１の外周面に添う凹曲状の受け面１５が縦方向に形成されており、前記受け面１５には、図４に示すごとく押さえ棒１の後側面に位置する押さえ締めねじ４の挿通を許す挿通孔１６が設けられている。
【００１２】
後面カバー１０に設けた受け面１５および挿通孔１６は、押さえ棒１の後側面に押さえ締めねじ４が位置する図４のミシンにも、１種類の後面カバー１０で対応できるようにするためである。この場合は、先の支持部材１２を用いずに後面カバー１０を押さえ棒１に直付けすることができる。
【００１３】
後面カバー１０に対する各側面カバー１１の取付手段は、図１および図３に示すごとく、後面カバー１０の左右端部位に左右横方向へ移動可能に取り付けられたスライド部材１３を含み、このスライド部材１３に左右の各側面カバー１１を着脱自在に取り付けられるようにすることができる。
【００１４】
磁性金属板からなる後面カバー１０には、永久磁石２５を付設しておくことができる。
【００１５】
【発明の作用効果】
本発明の折り針飛散防止具によれば、後面カバー１０と左右の両側面カバー１１とにより、少なくともミシン針５の後方および左右側方の三方が囲まれている。従って、これらカバー１０・１１で折れ針が飛び散るのを防止できるので、折れ針を容易に発見できる。少なくとも左右の側面カバー１１は透明としてあるので、縫製作業に支障を来すことはない。
【００１６】
後面カバー１０に対して左右の各側面カバー１１は、左右横方向へ移動調節可能に取り付けられている。従って、ミシン針５が左右方向に動く千鳥縫い用ミシンや、ミシン針５が左右方向に複数本並ぶミシンなどを対象とする場合には、後面カバー１０に対して各側面カバー１１を横外側方に移動させてセットすることにより対応できる。つまり、対象のミシンによって両側面カバー１１・１１の対向間隔を都合の良い寸法に調節できる。従って、本発明の折れ針飛散防止具は、これひとつでミシンの種類が異なっても対応できる利点を有する。また、後面カバー１０および両側面カバー１１・１１とミシン針５との間には、ある程度の隙間があるため、折り針飛散防止具にごみが詰まることがない。
【００１７】
後面カバー１０に対して各側面カバー１１は、取り外し可能としてあるので、ミシン針５の交換作業や、ミシン針５への糸通し作業をする場合には、側面カバー１１を取り外すことにより、これらの作業が容易に行える。
【００１８】
多くの一本針本縫い用ミシンにみられるように、押さえ棒１の横側面に押さえ締めねじ４が位置するときは、後面カバー１０に備えた支持部材１２の挿通孔１９を押さえ締めねじ４に挿通することにより、後面カバー１０は支持部材１２および押さえ締めねじ４を介して押さえ棒１に位置決め支持することができる。
【００１９】
先に挙げた千鳥縫い用ミシンや、ミシン針５が左右方向に複数本並ぶミシンなどにおいては、図４に示すごとく押さえ棒１の後側面に押さえ締めねじ４が位置する形態がある。この場合は、後面カバー１０の受け面１５を押さえ棒１の外周囲に後ろ側から当てがい、受け面１５に受けた挿通孔１６を押さえ締めねじ４に挿通することにより、押さえ棒１の後ろ側に後面カバー１０を直付けすることができる。ここでは、後面カバー１０に受け面１５を形成しておき、後面カバー１０に支持部材１２を備え付けておくことにより、いかなる型式のミシンにも、同一仕様の後面カバー１０および左右の側面カバー１１で対応できることになり、この点が注目されるべきである。
【００２０】
後面カバー１０の左右端部位にスライド部材１３が左右横方向へスライド自在に取り付けられていると、このスライド部材１３を利用して左右の各側面カバー１１は、後面カバー１０に対して横移動可能に、かつ着脱自在に取り付けることができ、後面カバー１０に対する側面カバー１１の横移動操作および着脱作業が手軽に行え、使い勝手が良い。
【００２１】
折れたミシン針５は総じて後方側に飛びやすい。しかるに、磁性金属板からなる後面カバー１０に永久磁石２５が付設されていると、多くの場合、後面カバー１０の全体で折れ針を磁力吸着にて捕捉できることになり、折れ針を容易に探し出すことができる。
【００２２】
【発明の実施の形態】
（第１実施例）　図１ないし図４は本発明に係る折れ針飛散防止具の第１実施例を示す。但し、図２は一本針本縫い用ミシンを例示しており、金属製の押さえ棒１の下端に、金属製の押さえ２が金属製のロッド３を介して押さえ締めねじ４で取り付けられており、押さえ棒１の前側にミシン針５が位置する。押さえ締めねじ４は、押さえ棒１の左側の横側面に位置してねじ込まれている。
【００２３】
一方、図４は押さえ棒１の前方左右に２本のミシン針５を並べて配したミシンを例示しており、左右のミシン針５・５に対応して押さえ棒１の下端に、左右一対の押さえ２・２がロッド３を介して押さえ締めねじ４で取り付けられている。この場合の押さえ締めねじ４は、押さえ棒１の後側面に位置してねじ込まれている。
【００２４】
折れ針飛散防止具は、図１に示すごとくミシンの押さえ棒１の後方に立てられる鋼板製の後面カバー１０と、押さえ棒１の左右側方に立てられる透明プラスチック製の側面カバー１１と、押さえ棒１にこれの押さえ締めねじ４を利用して後面カバー１０を位置決め支持する支持手段と、後面カバー１０に対して左右の各側面カバー１１を左右横方向へ移動調節可能に、かつ取り外し可能に取り付けるための取付手段とを備えている。
【００２５】
押さえ棒１に対する後面カバー１０の支持手段として、鋼板製の支持部材１２を備えており、後面カバー１０に対する各側面カバー１１の取付手段として左右一対のスライド部材１３を備えている。
【００２６】
後面カバー１０は、左右横長の平板状に形成されており、これの左右方向中央部位に押さえ棒１の外周面に添うよう後ろ向きに凹曲する受け面１５が縦方向にわたって形成されている。この受け面１５には、上下の中間部位に上下縦長の挿通孔１６が貫通状に設けられている。
【００２７】
支持部材１２は、基端部１２ａが後面カバー１０の前面左側の上部にねじ１７で着脱自在に止め付けられる。後面カバー１０の前方に突出するようねじ止めされた支持部材１２の前端側には、これの下縁より上方に向けて挿通孔１９が切り欠き状に形成されている。
【００２８】
各スライド部材１３は、左右横長のスライド孔２０を設けた垂直辺１３ａと、これの上端から前方へ延びる水平状の上辺１３ｂとを有するＬ字状に形成されている。各スライド部材１３の垂直辺１３ａを後面カバー１０の左右端部に後方側から当て付け、ねじ２１をスライド孔２０に通したのち、後面カバー１０側に設けたねじ孔２２にねじ２１の先端をねじ込むことにより、スライド孔２０の左右長さ寸法の範囲内で左右横方向にスライド自在に取り付ける。後面カバー１０に各スライド部材１３を取り付けた状態において、その上辺１３ｂは後面カバー１０の上縁を越えて前方に延びており、上辺１３ｂの上面に板ばね２３が装着されている。
【００２９】
左右の各側面カバー１１は、垂直の主面板１１ａと、主面板１１ａの上端から内向き対向状に連設された水平状の上板１１ｂとを有し、上板１１ｂの後端部を切り欠いてあって、この切り欠き部１１ｃがスライド部材１３の上辺１３ｂと板ばね２３との間に着脱自在に差し込み係合できる。
【００３０】
かくして後面カバー１０の後ろ側外面には、左右の下端部に永久磁石２５・２５が付設されており、これにて後面カバー１０の全体が磁化されており、後面カバー１０ついで支持部材１２を介して押さえ２も弱くはあるが磁化されている。
【００３１】
（第１使用例）　一本針本縫い用ミシンにみられるように押さえ棒１の横側面に押さえ締めねじ４が位置しているときは、後面カバー１０に支持部材１２をねじ１７で取り付けておく。
【００３２】
次に、押さえ締めねじ４をいったん緩めて、これに支持部材１２の挿通孔１９を上方から嵌合し、押さえ締めねじ４に挿通孔１９を挿通した状態で該ねじ４を締め付けることにより、押さえ棒１に支持部材１２を介して後面カバー１０を立ち姿勢で支持する。この状態において、後面カバー１０は、押さえ棒１の後方側を衝立状に囲み、その下端がミシン側のベッド６の上面から僅かに浮き離れた状態にある。
【００３３】
後面カバー１０の左右端には、予めスライド部材１３・１３がねじ止めされているので、このスライド部材１３・１３に左右の各側面カバー１１・１１を取り付ける。すなわち各スライド部材１３の上辺１３ｂと板ばね２３との間に、各側面カバー１１の切り欠き部１１ｃを横外側方から差し込み係合する。これで板ばね２３の弾性力により、各側面カバー１１は無理抜き可能ではあるが、不用意に抜け外れないようスライド部材１３に取り付ける。
【００３４】
各スライド部材１３に各側面カバー１１を取り付けるのと相前後して、ねじ２１を緩めてスライド部材１３を左右方向に横移動させたのち、ねじ２１を締めて後面カバー１０にスライド部材１３を固定することにより、後面カバー１０に対して左右の各側面カバー１１・１１を位置決めする。つまり、縫製作業に支障がないように、両側面カバー１１・１１の主面板１１ａ・１１ａの対向間隔を調節する。後面カバー１０に各側面カバー１１を取り付けた状態において、その主面板１１ａの下端はミシン側のベッド６の上面から僅かに浮き離れた状態にある。
【００３５】
図２および図３は上記の取り付け使用状態を示しており、押さえ棒１すなわちミシン針５の後方は後面カバー１０で、ミシン針５の左右は側面カバー１１・１１の主面板１１ａ・１１ａでそれぞれ三方が囲まれている。更に、ミシン針５の上方も、側面カバー１１・１１の上板１１ｂ・１１ｂで一部が覆われた状態下にある。
【００３６】
この状態で、作業者はミシンを作動させて一本針本縫いの縫製作業を行う。この縫製状況は、透明の側面カバー１１・１１越しに目で確認しながら行うことができる。また、前方からミシン針５に向かって左側の側面カバー１１の下部は、図３に示すごとくミシン針５側に折れ曲がっており、作業者が布地Ｗに指を添えて縫製作業を行う際に側面カバー１１が邪魔になりにくくしている。なお、右側の側面カバー１１の下部を、前記左側の側面カバー１１と同様にミシン針５側に折り曲げてもよい。
【００３７】
縫製作業中にミシン針５が折れたとき、その折れ針は飛んでも後面カバー１０または左右の側面カバー１１で受け止められるので、その所在を瞬時に認めることができる。多くの場合、折れ針は後方に飛ぶので、永久磁石２５で吸着捕捉されるであろう。永久磁石２５から外れた部位であっても、後面カバー１０は鋼板製であって全体が磁化されているので、折れ針が飛び跳ねるのを抑止する。また、鋼板製の支持部材１２、更には金属製の押さえ棒１および押さえ２も弱くはあるが磁化されているので、折れ針を吸着捕捉までは出来なくても飛び跳ねるのを抑止する機能を果たす。
【００３８】
ミシン針５の交換作業やミシン針５に糸を通す作業を行う際には、後面カバー１０から少なくとも一方の側面カバー１１をいったん横外側方へ抜き外せばよい。その後は側面カバー１１をスライド部材１３に前述の要領で装着することにより、元通りの取り付け状態で使用を再開できる。
【００３９】
（第２使用例）　図４に示すごとくミシン針５を左右に二本備えたミシンにみられるように、押さえ棒１の後側面に押さえ締めねじ４が位置するときは、先の支持部材１２を用いず、後面カバー１０の受け面１５を押さえ棒１の外周面に後方より当てがって、いったん外した押さえ締めねじ４を該受け面１５の挿通孔１６に通して押さえ棒１のねじ孔にねじ込み、これにて後面カバー１０を押さえ棒１に取り付ける。その他の点は、先の第１使用例と同様にして折れ針飛散防止具を用いることになる。なお、支持部材１２が押さえ棒１に干渉しない場合には、支持部材１２は後面カバー１０に取り付けた状態のままで使用してもよい。
【００４０】
（第２実施例）　図５は本発明に係る折れ針飛散防止具の第２実施例を示す。この第２実施例では、左右の各スライド部材１３の外周縁が円弧状に形成されており、各スライド部材１３の円弧状外周縁の上下端に差込溝２７が前方に向けて突設されている。左右の各側面カバー１１は、円形状に湾曲するよう弾性変形させて、その後端縁の上下端部を各スライド部材１３の前記差込溝２７へ係脱自在に差し込み係合できるようになっている。
【００４１】
また、第２実施例の後面カバー１０は正面視でほぼＴ字形状としたこと、各スライド部材１３に永久磁石２５を付設したことが第１実施例と異なるが、その他の構成は第１実施例と実質的に同じであり、同一部材には同一符号を付して説明を省略する。
【００４２】
なお、支持部材１２側の挿通孔１９は、後面カバー１０側の挿通孔１６と同様にカバー壁に貫通状に形成してあってもよいし、後面カバー１０側の挿通孔１６は支持部材１２側の挿通孔１９と同様に下端が開放するよう切り欠き形成されていてもよい。また、左側の側面カバー１１の下部を、第１実施例と同様にミシン針５側に折り曲げてもよく、更に右側の側面カバー１１の下部を、前記左側の側面カバー１１と同様にミシン針５側に折り曲げてもよい。
【００４３】
例えば第１実施例において、左右の各側面カバー１１には前面板を設けて、使用状態においてミシン針５の前面側も囲んだ状態にすることができる。
【図面の簡単な説明】
【図１】第１実施例に係る折れ針飛散防止具の構成部材の分解斜視図
【図２】図３のＡ−Ａ線矢視断面図
【図３】第１実施例における第１使用例を示す縦断正面図
【図４】第１実施例における第２使用例を示す横断平面図
【図５】第２実施例に係る折れ針飛散防止具の構成部材の分解斜視図
【符号の説明】
１　押さえ棒
２　押さえ
３　ロッド
４　押さえ締めねじ
１０　後面カバー
１１　側面カバー
１２　支持部材
１３　スライド部材
１５　受け面
１６　挿通孔
１９　挿通孔
２５　永久磁石
【図１】
2004000361.tif 000003
【図２】
2004000361.tif 000004
【図３】
2004000361.tif 000005
【図４】
2004000361.tif 000006
【図５】
2004000361.tif 000007